(57)【要約】【課題】３次元立体構造網状体の特徴を生かしつつ、あらゆる人にとってより快適な睡眠を得ることができ、なおかつ取り扱いにも優れた複層構造マットレスを提供する。【解決手段】複層構造マットレスは、熱可塑性樹脂からなる３次元立体構造網状体１と、３次元立体構造網状体に積層される軟質ウレタンフォーム３と、これらを収納する収納体５とを備えている。軟質ウレタンフォーム３はプロファイル加工されており、当該加工面の反対側の面が３次元立体構造網状体１と接するように重ね合わせる。【選択図】図１
2015211703.tif 000002
【特許請求の範囲】
【請求項１】
熱可塑性樹脂からなる３次元立体構造網状体と、
前記３次元立体構造網状体に積層される軟質ウレタンフォームと、
前記３次元立体構造網状体と前記軟質ウレタンフォームを収納する収納体と、を備えた積層構造マットレスであって、 
前記軟質ウレタンフォームはプロファイル加工されており、当該加工面の反対側の面が前記３次元立体構造網状体と接するように重ね合わせることを特徴とする積層構造マットレス
【請求項２】
前記軟質ウレタンフォームが無膜ウレタンフォームであることを特徴とする請求項１に記載の積層構造マットレス
【請求項３】
前記３次元立体構造網状体の厚さは軟質ウレタンフォームの厚さよりも厚いことを特徴とする請求項１又は２に記載の積層構造マットレス
【請求項４】
前記積層構造マットレスを折り畳み可能に複数組み合せたことを特徴とする請求項1〜３のいずれかに記載の積層構造マットレス
【請求項５】
前記収納体に額縁型の内袋を備えることを特徴とする請求項1〜４のいずれかに記載の積層構造マットレス
【請求項６】
前記３次元立体構造網状体の反発性を、人の身長方向に対して変えていることを特徴とする請求項１〜５のいずれかに記載の積層構造マットレス
【請求項７】
前記３次元立体構造網状体が中空もしくは中実構造の線条体からなることを特徴とする請求項１〜６のいずれかに記載の積層構造マットレス
【発明の詳細な説明】
【技術分野】
【０００１】
本発明は、複層構造マットレスに関するものであり、特に熱可塑性樹脂からなる３次元立体構造網状体を用いた複層構造の寝具用マットレスに関する。 
【背景技術】
【０００２】
近年、ポリエステル樹脂やポリエチレン樹脂からなる線条体を不規則にカールあるいは屈曲させたのち、高温で各線条体の交絡点で高温溶融された３次元の立体網状構造体を所定厚さに調整したタイプの寝具用マットレスが種々市販されている。当該３次元立体構造網状体マットレスは、綿やウレタンフォームを用いたものより通気性、耐久性、体圧分散性に優れた効果を有し、さらに水洗いできるという機能（洗浄性）も備えている。
【０００３】
また、当該３次元立体構造網状体のマットレスは、上記の効果を備えるため、幅広く利用されているが、実際に使用する際にはそのままでは樹脂の持つ硬さが人の肌に残ってしまうため、裸状態ではなく、通常は収納体に入れたりやカバーなどで覆うなどしている。しかし、それらだけでは樹脂のもつ硬い感じを抑えることが困難なため、さらにその上に別のカバーやシーツなどを敷いたりしている。
【０００４】
老人や病気療養者にとっては、当該洗浄性マットレスではソフト感が得られず、快適な睡眠を確保しにくいという問題があった。睡眠時の快適性を向上させる方法として、例えば特許文献１には、上層に高反発ウレタンフォームを用い、下層には複数の凹部を設けた溝付きウレタンフォームからなるマットレスクッション材が開示されている。これは厚さ方向の通気性に優れ、むれを抑えることを目的としたものであるが、下層にも体重がかかるため、全体的に柔くなりすぎて溝による通気性を確保しにくい。また特許文献２では、上層がポリエステル固綿、中層がポリウレタンフォーム、下層がポリエステル固綿からなる３層のマットレスが開示されている。これは、ポリウレタンフォームを用いることで、ポリエステル固綿のへたりを防止することを主目的としたものがあるが、人の肌に近い層がポリエステル樹脂層となるため、体感性としては必ずしも良くなかった。
【先行技術文献】
【特許文献】
【０００５】
【特許文献１】特開２００７−１１１４２３号
【特許文献２】実用新案登録第３０８９６５１号
【発明の概要】
【発明が解決しようとする課題】
【０００６】
そこで本発明は前述した問題点に鑑みなされたものであり、３次元立体構造網状体の特徴を生かしつつ、あらゆる人にとってより快適な睡眠を得ることができ、なおかつ取り扱いにも優れた複層構造マットレスを提供することを目的とする。
【課題を解決するための手段】
【０００７】
上記課題を解決するため、請求項１の発明にあっては、熱可塑性樹脂からなる３次元立体構造網状体と、前記３次元立体構造網状体に積層される軟質ウレタンフォームと、前記３次元立体構造網状体と前記軟質ウレタンフォームを収納する収納体と、を備えた積層構造マットレスであって、 前記軟質ウレタンフォームはプロファイル加工されており、当該加工面の反対側の面が前記３次元立体構造網状体と接するように重ね合わせることを特徴とするものである。
【０００８】
また、請求項２の発明にあっては、前記軟質ウレタンフォームが無膜ウレタンフォームであることを特徴とするものである。
【０００９】
また、請求項３の発明にあっては、前記３次元立体構造網状体の厚さは軟質ウレタンフォームの厚さよりも厚いことを特徴とするものである。
【００１０】
また、請求項４の発明にあっては、前記積層構造マットレスを折り畳み可能に複数組み合せたことを特徴とするものである。
【００１１】
また、請求項５の発明にあっては、前記収納体に額縁型の内袋を備えることを特徴とするものである。
【００１２】
また、請求項６の発明にあっては、前記３次元立体構造網状体の反発性を、人の身長方向に対して変えていることを特徴とするものである。
【００１３】
また、請求項７の発明にあっては、前記３次元立体構造網状体が中空もしくは中実構造の線条体からなることを特徴とするものである。
【発明の効果】
【００１４】
請求項１の発明によれば、３次元立体構造網状体に積層される軟質ウレタンフォームにより、さらに軟質ウレタンフォームのプロファイル加工面を人体側に向けるために、ソフトな感触性が得られ、３次元立体構造網状体による硬さ感を排除できて、快適な安眠性が得ることができる。
【００１５】
請求項２の発明によれば、前記軟質ウレタンフォームには無膜ウレタンフォームを用いるため、優れた通気性を確保できるため、３次元立体構造網状体の持つ特徴を損なうことがなく、感触性も維持することができる。
【００１６】
請求項３の発明によれば、前記３次元立体構造網状体の厚さは軟質ウレタンフォームの厚さよりも厚いため、３次元立体構造網状体による効果を優先でき、柔らかい軟質ウレタンフォームによる通気性低下をそれほど考慮する必要がない。
【００１７】
請求項４の発明によれば、前記積層構造マットレスを折り畳み可能に複数組み合せて構成されているため、省スペース化が図れ、取扱や収納が簡単になる
【００１８】
請求項５の発明によれば、前記収納体には、額縁型の内袋を備えているため、前記収納体に収納させる際に、ばらけることなくスムーズに入れることができる。
【００１９】
請求項６の発明によれば、人の身長方向に対して前記３次元立体構造網状体の反発性を変えることができるため、人の体の部位に合せて硬さを調整してバランスのとれた体圧分散性を得ることができる。
【００２０】
請求項７の発明によれば、前記３次元立体構造網状体が中空もしくは中実構造の線条体からなるため、使用する人の好みに合わせた感触性を得ることができる。
【図面の簡単な説明】
【００２１】
【図１】本発明に係る複層構造マットレスの組立斜視図である。
【図２】本発明に係る複層構造マットレスの折り畳み斜視図である。
【図３】本発明に係る複層構造マットレスの部分断面図である。
【図４】本発明に係る複層構造マットレスの内袋の使用図である。
【図５】本発明に係る３次元立体構造網状体の断面図である。
【図６】本発明に係る軟質ウレタンフォームのプロファイル加工を示す断面図である。
【発明を実施するための形態】
【００２２】
以下、本発明の実施の形態を添付図面に基づいて説明する。図１は、本発明に係る複層構造マットレスの組立斜視図である。複層構造マットレス１００は３次元立体構造網状体１、軟質ウレタンフォーム３、前記を同時に収容する収納体５とから構成され、前記収納体５の一つの側面にはファスナー７を設けられ、そこから前記３次元立体構造網状体１、軟質ウレタンフォーム３が出し入れされるようになっている。また、本例では、３つ折り構造であり、図２のようにたたむと省スペースでコンパクトになり取り扱いも簡便になる。
【００２３】
図３は、本発明の複層構造マットレスの部分断面図を示したもので、下から収納体５の裏地５ｂ、その上に３次元立体構造網状体１、軟質ウレタンフォーム３を重ね、一番上に収納体５の表地５ａの４層構造になっている。
【００２４】
ここで、各層について具体的に説明する。３次元立体構造網状体１は、ポリエステル、ポリエチレン、エチレン酢酸ビニルコポリマー等を原材料とする樹脂からなる線条体（フィラメント）を複数のオリフィスから融点より高い温度の雰囲気中に吐出し、曲がりくねらせてランダムループに形成する。それらランダムループが互いに接触した交絡部分は融着するが、その状態からすぐに水中などで冷却することにより目標厚さの３次元立体構造網状体を得ることができる。その際、吐出装置のオリフィスの形状により種々の断面形状を作製できるが、ワイヤー状の中実タイプ（図５（ａ）参照）と、パイプ状の中空タイプ（図５（ｂ）参照）とを例示することができる。なお、硬さを求める人には、中実タイプのものを使用することになる。この３次元立体構造網状体１として、ブレスエアー（東洋紡株式会社）を例示することができる。
【００２５】
また、軟質ウレタンフォーム３は適度の厚さの軟質ウレタンフォームを一般的なプロファイル加工が施されたものである。プロファイル加工とは、表面を波形（凹凸）にカットする加工法であり、寝具用マットレスに使用する場合には体圧分散性に効果を発揮させるため、プロファイル加工面３ａが人側を向くように、すなわちプロファイル加工されていない面３ｂが３次元立体構造網状体１と接するように重ねられる。なお、本例では図６に示すように、厚さＣが約４ｃｍの直方体形状からプロファイル加工が施された厚さＢが約３ｃｍのものを２個得られるように加工される。
【００２６】
また、体感性に加え通気性を確保するために、無膜処理された軟質ウレタンフォームを用いることがより好ましい。無膜処理とは、軟質ウレタンフォームの通気性を高めるために油分などの除膜を行うもので、その方法として注入した酸素を爆破する方法や水蒸気処理した後乾燥させる方法などが考えられている。また、無膜処理を行うことで、有膜品に比べて通気性が１０倍以上（フラジール式の通気性試験による）になる。この無膜軟質ウレタンフォームとして、ムマック（アキレス株式会社）を例示することができる。
【００２７】
また、収納体５は、表地５ａ、裏地及び側面５ｂで構成され、表地にはやわらかな肌触りと高い保温性を得るため中綿を設けたニット生地（ポリエステル１００％、不図示）を、また裏地や側面には通気性のよいハニカムメッシュ構造のポリエステル系（不図示）を用いている。また、本例では、表地５ａと裏地５ｂとを合わせた厚さはおよそ１ｃｍであり、寝具用マットレスとしては約９ｃｍの厚さとなる。また季節や人の好みに応じて、収納体５の表地と裏地とを上下を逆にしても良い。
【００２８】
さらに、図４に示すように、３次元立体構造網状体１、軟質ウレタンフォーム３を一緒に収納体５に収納する際に、一旦額縁状の内袋に収納してから行うと、出し入れの時間の短縮や煩わしさを省くことができる。
【００２９】
また、３次元立体構造網状体１の反発性を人の身長方向に対して変えることもできる。例えば、人の体は腰付近がかなり重いため、そこでの反発力を確保する目的で、図１に示すような三つ折り構造では、各箇所に使用する３次元立体構造網状体１の反発性を変えるようにしてもよい。具体的には、３次元立体構造網状体１の繊度や、見かけ密度、接合点数やフィラメント形状を変えることが考えられるが、例えば、フィラメントの形状を中空構造から中実構造に変更することで、反発力を約４０％高めることができる。
【００３０】
以上説明した内容は、発明を実施するための一形態を説明したものであり、上記実施の形態に限定されるものではない。例えば、よりコンパクトにするために、４つ折りや５つ折り構造にしてもよい。
また、本発明は、ベッド、ソファー、椅子や枕などの多様な用途に応用が可能である。
【符号の説明】
【００３１】
１        ３次元立体構造網状体
３        軟質ウレタンフォーム
３ａ      プロファイル加工面
３ｂ      プロファイル非加工面
５        収納体
５ａ      表地
５ｂ      裏地、側面
７        ファスナー
９        内袋
１００    マットレス
【図１】
2015211703.tif 000003
【図２】
2015211703.tif 000004
【図３】
2015211703.tif 000005
【図４】
2015211703.tif 000006
【図５】
2015211703.tif 000007
【図６】
2015211703.tif 000008